(57)【特許請求の範囲】
【請求項１】
２つのアンテナ素子が並列に接続されたアンテナ素子群を有する平面アンテナであって、
前記平面アンテナに接続される給電系が接続される給電部と、前記給電部と前記アンテナ素子群との間に直列に接続されるインピーダンス変換回路部とが形成され、
アドミタンスを複素数表示した場合、
前記２つのアンテナ素子のそれぞれは、前記平面アンテナが対象とする動作周波数帯域において異なる周波数で入力アドミタンスの実数成分の極大値を有しており、前記極大値のそれぞれが、前記給電系の特性アドミタンスの実数成分よりも大きい値であり、
前記インピーダンス変換回路部は、前記アンテナ素子群が対象とする動作周波数帯域の中心周波数における波長の1/4の整数倍の電気長を持つことを特徴とする平面アンテナ。
【請求項２】
請求項１に記載の平面アンテナにおいて、
前記２つのアンテナ素子の入力アドミタンスの実数成分の周波数特性の和をとった場合、２つの極大値における大きい方の極大値に対する該２つの極大値間の極小値の割合が1/9よりも大きいこと特徴とする平面アンテナ。
【請求項３】
請求項２に記載の平面アンテナにおいて、
前記極小値は、前記給電系の特性アドミタンスの実数成分よりも大きい値であることを特徴とする平面アンテナ。
【請求項４】
請求項１乃至請求項３のいずれかに記載の平面アンテナにおいて、
前記給電系の特性アドミタンスの実数成分が0.02 Sであることを特徴とする平面アンテナ。
【請求項５】
請求項１乃至請求項４のいずれかに記載の平面アンテナにおいて、
前記平面アンテナは、複数の導体層を有するプリント基板に形成され、
前記複数の導体層の内の１層に、前記アンテナ素子群と、前記インピーダンス変換回路部とが形成され、
前記複数の導体層の内の他の層にグランド部が形成されていることを特徴とする平面アンテナ。
【請求項６】
複数のアンテナ素子が並列に接続されたアンテナ素子群を有する平面アンテナであって、
前記平面アンテナは、複数の導体層を有するプリント基板に形成され、
前記複数の導体層の内の１層に、前記アンテナ素子群と、前記給電系が接続される給電部と前記アンテナ素子群との間に直列に接続されるインピーダンス変換回路部とが形成され、
前記複数の導体層の内の他の層にグランド部が形成され、
前記給電部は前記アンテナ素子群が形成された層に形成され、
前記給電部と前記グランド部とを短絡するスルーホール部が形成され、
アドミタンスを複素数表示した場合、
前記複数のアンテナ素子のそれぞれは、前記平面アンテナが対象とする動作周波数帯域において異なる周波数で入力アドミタンスの実数成分の極大値を有しており、前記極大値のそれぞれが、前記平面アンテナに接続される給電系の特性アドミタンスの実数成分よりも大きい値であることを特徴とする平面アンテナ。
【請求項７】
複数のアンテナ素子が並列に接続されたアンテナ素子群を有する平面アンテナであって、
前記平面アンテナは、複数の導体層を有するプリント基板に形成され、
前記複数の導体層の内の１層に、前記アンテナ素子群と、前記給電系が接続される給電部と前記アンテナ素子群との間に直列に接続されるインピーダンス変換回路部とが形成され、
前記複数の導体層の内の他の層にグランド部が形成され、
前記複数の導体層の内の前記アンテナ素子群が形成された層と前記グランド部が形成された層とは別の層に第２のグランド部が形成され、
前記アンテナ素子群が形成された層が、前記グランド部が形成された層と前記第２のグランド部が形成された層との間に挟まれ、
アドミタンスを複素数表示した場合、
前記複数のアンテナ素子のそれぞれは、前記平面アンテナが対象とする動作周波数帯域において異なる周波数で入力アドミタンスの実数成分の極大値を有しており、前記極大値のそれぞれが、前記平面アンテナに接続される給電系の特性アドミタンスの実数成分よりも大きい値であることを特徴とする平面アンテナ。
【請求項８】
請求項７に記載の平面アンテナにおいて、
前記給電部は前記グランド部が形成された層に形成され、
前記給電部と前記インピーダンス変換回路部とを短絡するスルーホール部が形成されていることを特徴とする平面アンテナ。
【請求項９】
請求項７または請求項８に記載の平面アンテナにおいて、
前記グランド部と前記第２のグランド部とを短絡するスルーホール部が形成されていることを特徴とする平面アンテナ。
【請求項１０】
請求項６乃至請求項９に記載の平面アンテナにおいて、
前記インピーダンス変換回路部は、前記アンテナ素子群が対象とする動作周波数帯域の中心周波数における波長の1/4の整数倍の電気長を持つマイクロストリップラインであることを特徴とする平面アンテナ。
【請求項１１】
複数のアンテナ素子が並列に接続されたアンテナ素子群を有する平面アンテナであって、
前記平面アンテナは、複数の導体層を有するプリント基板に形成され、
前記複数の導体層の内の１層に、前記アンテナ素子群と、前記給電系が接続される給電部と前記アンテナ素子群との間に直列に接続されるインピーダンス変換回路部とが形成され、
前記複数の導体層の内の他の層にグランド部が形成され、
前記アンテナ素子と前記グランド部とを短絡するスルーホール部が、前記アンテナ素子の先端領域に形成され、
アドミタンスを複素数表示した場合、
前記複数のアンテナ素子のそれぞれは、前記平面アンテナが対象とする動作周波数帯域において異なる周波数で入力アドミタンスの実数成分の極大値を有しており、前記極大値のそれぞれが、前記平面アンテナに接続される給電系の特性アドミタンスの実数成分よりも大きい値であることを特徴とする平面アンテナ。
【請求項１２】
請求項６乃至請求項１１のいずれかに記載の平面アンテナにおいて、
電磁誘導手段と静電容量手段とから成る整合回路部が、前記アンテナ素子と前記インピーダンス変換回路部との間に直列に接続されていることを特徴とする平面アンテナ。
【請求項１３】
請求項６乃至請求項１０のいずれかに記載の平面アンテナにおいて、
電磁誘導手段と静電容量手段とから成る整合回路部が、前記アンテナ素子と前記インピーダンス変換回路部との接続点近傍で前記アンテナ素子と並列に接続されており、
前記整合回路部と前記グランド部とを短絡するスルーホール部が、前記整合回路部の先端領域に形成されていることを特徴とする平面アンテナ。
【請求項１４】
請求項６乃至請求項１３のいずれかに記載の平面アンテナにおいて、
前記平面アンテナは、前記アンテナ素子群を２組有し、前記２組のアンテナ素子群が並列に接続されていることを特徴とする平面アンテナ。
【請求項１５】
請求項１４に記載の平面アンテナにおいて、
前記２組のアンテナ素子群は、一方の前記アンテナ素子群の長手方向と他方の前記アンテナ素子群の長手方向とが、互いに直角関係となるように配置されていることを特徴とする平面アンテナ。
【請求項１６】
請求項６乃至請求項１５のいずれかに記載の平面アンテナにおいて、
前記給電系と等しい特性アドミタンスを持つ給電線が、前記給電部と前記インピーダンス変換回路部との間に形成されていることを特徴とする平面アンテナ。
【請求項１７】
請求項１６に記載の平面アンテナにおいて、
フィルタが前記給電線の一部分に直列に接続されていることを特徴とする平面アンテナ。
【請求項１８】
複数のアンテナ素子が並列に接続されたアンテナ素子群を有する平面アンテナであって、
前記平面アンテナは、複数の導体層を有するプリント基板に形成され、
前記複数の導体層の内の１層に前記アンテナ素子群が形成され、
前記複数の導体層の内の他の層に前記グランド部が形成され、
前記同軸ケーブルの外導体と前記グランド部とを短絡するスルーホール部が形成され、
前記アンテナ素子群が対象とする動作周波数帯域の中心周波数における波長の1/4の整数倍の電気長を持つ同軸ケーブルから成るインピーダンス変換回路部が、前記アンテナ素子群と前記給電系との間に直列に接続され、
アドミタンスを複素数表示した場合、
前記複数のアンテナ素子のそれぞれは、前記平面アンテナが対象とする動作周波数帯域において異なる周波数で入力アドミタンスの実数成分の極大値を有しており、前記極大値のそれぞれが、前記平面アンテナに接続される給電系の特性アドミタンスの実数成分よりも大きい値であることを特徴とする平面アンテナ。
【請求項１９】
請求項１乃至請求項１８のいずれかに記載の平面アンテナと前記平面アンテナに給電する給電系とを具備することを特徴とする無線装置。
【発明の詳細な説明】
【技術分野】
【０００１】
本発明は、無線通信に利用されるアンテナに関し、特に、携帯無線端末のような携帯利用を前提とした小型の無線装置に内蔵される平面アンテナに関する。
【背景技術】
【０００２】
携帯無線端末（携帯電話、ノート型パーソナルコンピュータ、ネットブック、センサネットワーク、Ultra-Mobile Personal Computer（UMPC）、Personal Navigation Device（PND）等）において、該端末の小型軽薄化や高機能化に伴い、内蔵される部品に対する小型化や低背化の要求は年々高まっている。また、無線通信規格の乱立もあって、アンテナには、複数の周波数帯域に対応することがしばしば求められている。
【０００３】
複数の周波数帯域に対応する小型のアンテナとして、特許文献１に平面アンテナが開示されている。図１は、従来の平面アンテナの一例を示す平面模式図である。図１に示した平面アンテナは、矩形導体から成るアンテナ素子1が複数形成されたアンテナ素子群2とグランド部3とが１枚の導体板内に形成され、アンテナ素子1の一部分に給電部4を有する構成となっている。特許文献１で提案された平面アンテナは、小型でありかつ通信に使用される複数の周波数帯域において動作が可能であることから、携帯無線端末への内蔵に適しているとされている。
【先行技術文献】
【特許文献】
【０００４】
【特許文献１】特開２００４−４８１１９号公報
【発明の概要】
【発明が解決しようとする課題】
【０００５】
アンテナ（特にアンテナ素子群）は、アンテナ放射特性を良好に保つために機器の外部（自由空間）に突出していることが本来望ましいが、携帯無線端末においては、デザイン上の要請からアンテナ素子群を突出させない内蔵アンテナが主流になっており、その結果できるだけ自由空間に近い場所（例えば、無線端末の端部や角部や表面部）に配置することで対応してきた。ところが、近年、携帯無線端末の小型軽薄化がますます進展しており、アンテナ放射特性を維持させつつ従来の平面アンテナを内蔵することが困難になってきた。すなわち、アンテナに対して更なる小型化・低背化が要求されている。
【０００６】
しかしながら、一般的にアンテナは小型になるほど効率が低くなり、単純にアンテナ素子群の高さを低くする（低背化する）と、対応可能な周波数帯域幅が狭くなって希望する周波数帯域に対応ができなくなるという問題が生じる。したがって本発明は、アンテナ設計において新たな技術的思想を導入することで前記課題を解決し、従来の平面アンテナよりも低背であり（低いアンテナ素子群高さを有し）、かつ従来の平面アンテナと同等の周波数帯域に対応可能である平面アンテナを提供することを目的とする。なお、本発明において「アンテナ素子群の高さ」とは、例えば図１の場合、グランド部3の図中上端とグランド部3から最も離れたアンテナ素子1の図中上端との距離と定義する。
【課題を解決するための手段】
【０００７】
本発明は、上記目的を達成するため、複数のアンテナ素子が並列に接続されたアンテナ素子群とグランド部とを有する平面アンテナであって、
アドミタンスを複素数表示した場合、前記複数のアンテナ素子のそれぞれは、前記平面アンテナが対象とする動作周波数帯域において異なる周波数で入力アドミタンスの実数成分の極大値を有しており、
前記極大値のそれぞれが、前記平面アンテナに接続される給電系の特性アドミタンスの実数成分よりも大きい値であることを特徴とする平面アンテナを提供する。
【０００８】
また、本発明は上記目的を達成するため、上記の本発明に係る平面アンテナにおいて、以下のような改良や変更を加えることができる。
（１）前記複数のアンテナ素子の入力アドミタンスの実数成分の周波数特性の和をとった場合（言い換えると、前記アンテナ素子群の入力アドミタンスの実数成分の周波数特性において）、隣接する２つの極大値における大きい方の極大値に対する該２つの極大値間の極小値の割合が1/9よりも大きい。
（２）前記極小値は、前記給電系の特性アドミタンスの実数成分よりも大きい値である。
（３）前記給電系の特性アドミタンスの実数成分が0.02 Sである。
（４）前記平面アンテナは、複数の導体層を有するプリント基板に形成され、前記複数の導体層の内の１層に、前記アンテナ素子群と、前記給電系が接続される給電部と前記アンテナ素子群との間に直列に接続されるインピーダンス変換回路部とが形成され、前記複数の導体層の内の他の層に前記グランド部が形成されている。
（５）前記給電部は前記アンテナ素子群が形成された層に形成され、前記給電部と前記グランド部とを短絡するスルーホール部が形成されている。
（６）前記平面アンテナは、前記複数の導体層の内の前記アンテナ素子群が形成された層と前記グランド部が形成された層とは別の層に第２のグランド部が形成され、前記アンテナ素子群が形成された層が、前記グランド部が形成された層と前記第２のグランド部が形成された層との間に挟まれている。
（７）前記給電部は前記グランド部が形成された層に形成され、前記給電部と前記インピーダンス変換回路部とを短絡するスルーホール部が形成されている。
（８）前記グランド部と前記第２のグランド部とを短絡するスルーホール部が形成されている。
（９）前記インピーダンス変換回路部は、前記アンテナ素子群が対象とする動作周波数帯域の中心周波数における波長の1/4の整数倍の電気長を持つマイクロストリップラインである。
（10）前記アンテナ素子と前記グランド部とを短絡するスルーホール部が、前記アンテナ素子の先端領域に形成されている。
（11）電磁誘導手段と静電容量手段とから成る整合回路部が、前記アンテナ素子と前記インピーダンス変換回路部との間に直列に接続されている。
（12）電磁誘導手段と静電容量手段とから成る整合回路部が、前記アンテナ素子と前記インピーダンス変換回路部との接続点近傍で前記アンテナ素子と並列に接続されており、前記整合回路部と前記グランド部とを短絡するスルーホール部が、前記整合回路部の先端領域に形成されている。
（13）前記平面アンテナは、前記アンテナ素子群を２組有し、前記２組のアンテナ素子群が並列に接続されている。
（14）前記２組のアンテナ素子群は、一方の前記アンテナ素子群の長手方向と他方の前記アンテナ素子群の長手方向とが、互いに直角関係となるように配置されている。
（15）前記給電系と等しい特性アドミタンスを持つ給電線が、前記給電部と前記インピーダンス変換回路部との間に形成されている。
（16）フィルタが前記給電線の一部分に直列に接続されている。
（17）前記アンテナ素子群が対象とする動作周波数帯域の中心周波数における波長の1/4の整数倍の電気長を持つ同軸ケーブルから成るインピーダンス変換回路部が、前記アンテナ素子群と前記給電系との間に直列に接続されている。
（18）前記平面アンテナは、複数の導体層を有するプリント基板に形成され、前記複数の導体層の内の１層に前記アンテナ素子群が形成され、前記複数の導体層の内の他の層に前記グランド部が形成され、前記同軸ケーブルの外導体と前記グランド部とを短絡するスルーホール部が形成されている。
（19）上記の本発明に係る平面アンテナと前記平面アンテナに給電する給電系とを具備する無線装置を提供する。
【発明の効果】
【０００９】
本発明によれば、従来の平面アンテナよりも低背であり、かつ従来の平面アンテナと同等の周波数帯域に対応可能である平面アンテナ及びそれを具備する無線装置を提供することができる。
【図面の簡単な説明】
【００１０】
【図１】従来の平面アンテナの一例を示す平面模式図である。
【図２】本発明に係る平面アンテナの基本構成を示した模式図である。
【図３Ａ】アンテナ素子1-1の入力アドミタンスの実数成分の周波数特性を模式的に示すグラフである。
【図３Ｂ】アンテナ素子1-2の入力アドミタンスの実数成分の周波数特性を模式的に示すグラフである。
【図３Ｃ】アンテナ素子1-1及びアンテナ素子1-2を並列接続した場合の入力アドミタンスの実数成分の周波数特性を模式的に示すグラフである。
【図４】給電系、伝送線路、アンテナからなる回路例を示した模式図である。
【図５Ａ】本発明の第１の実施形態に係る平面アンテナの一例を示した斜視模式図である。
【図５Ｂ】図５Ａの第２の導電層を該平面アンテナの厚さ方向に透視した場合の平面模式図である。
【図６】本発明の第２の実施形態に係る平面アンテナの一例を示した斜視模式図である。
【図７】本発明の第３の実施形態に係る平面アンテナの一例を示した斜視模式図である。
【図８】本発明の第４の実施形態に係る平面アンテナの一例を示した斜視模式図である。
【図９Ａ】本発明の第５の実施形態に係る平面アンテナの一例を示した斜視模式図である。
【図９Ｂ】図９Ａの第２の導電層を該平面アンテナの厚さ方向に透視した場合の平面模式図である。
【図９Ｃ】図９Ａの第３の導電層を該平面アンテナの厚さ方向に透視した場合の平面模式図である。
【図１０Ａ】本発明の第６の実施形態に係る平面アンテナの一例を示した斜視模式図である。
【図１０Ｂ】図１０Ａの第２の導電層を該平面アンテナの厚さ方向に透視した場合の平面模式図である。
【図１０Ｃ】図１０Ａの第３の導電層を該平面アンテナの厚さ方向に透視した場合の平面模式図である。
【図１１Ａ】本発明の第７の実施形態に係る平面アンテナの一例を示した斜視模式図である。
【図１１Ｂ】図１１Ａの第２の導電層を該平面アンテナの厚さ方向に透視した場合の平面模式図である。
【図１１Ｃ】図１１Ａの第３の導電層を該平面アンテナの厚さ方向に透視した場合の平面模式図である。
【図１２Ａ】本発明の第８の実施形態に係る平面アンテナの一例を示した斜視模式図である。
【図１２Ｂ】本発明の第８の実施形態に係る平面アンテナの他の例を示した斜視模式図である。
【図１３】本発明の第９の実施形態に係る平面アンテナの一例であり、アンテナ素子群を形成した導体層を示した平面模式図である。
【図１４】本発明の第10の実施形態に係る平面アンテナの一例を示した斜視模式図である。
【図１５】本発明に係る平面アンテナを内蔵したノート型パーソナルコンピュータやUMPC等の携帯無線端末の模式図である。
【図１６Ａ】実施例１の第１の導体層を示した平面模式図である。
【図１６Ｂ】実施例１の第２の導体層を該平面アンテナの厚さ方向に透視した場合の平面模式図である。
【図１７】実施例１の平面アンテナにおける反射係数の評価結果である。
【図１８】実施例１の平面アンテナにおける放射効率の評価結果である。
【図１９Ａ】実施例２の第１の導電層を示した平面模式図である。
【図１９Ｂ】実施例２の第２の導電層を該平面アンテナの厚さ方向に透視した場合の平面模式図である。
【図２０Ａ】実施例２の平面アンテナにおける１つ目の周波数帯域での反射係数の評価結果である。
【図２０Ｂ】実施例２の平面アンテナにおける２つ目の周波数帯域での反射係数の評価結果である。
【図２１Ａ】実施例２の平面アンテナにおける１つ目の周波数帯域での放射効率の評価結果である。
【図２１Ｂ】実施例２の平面アンテナにおける２つ目の周波数帯域での放射効率の評価結果である。
【発明を実施するための形態】
【００１１】
前述したように、平面アンテナにおいてアンテナ素子群を単純に低背化すると（グランド部上端から、グランド部から最も離れたアンテナ素子の最上端までの距離を小さくすると）、アドミタンスを複素数表示した場合、該アンテナ素子群の入力アドミタンスの実数成分の最大値が大きくなり、入力アドミタンスの実数成分の周波数特性が急峻な勾配を持つようになる。この結果、反射係数等のアンテナ周波数特性も急峻な勾配となり、対応可能な周波数帯域が減少する問題が生じる。
【００１２】
上記のような問題に対し、本発明者らは、鋭意研究の結果、複数のアンテナ素子が並列接続されたアンテナ素子群を有する平面アンテナにおいて、各アンテナ素子の入力アドミタンスのバランスを調整した上で、さらに、給電系の特性アドミタンスとのバランスを調整することによって、平面アンテナ全体としての入力アドミタンスの実数成分の周波数特性における勾配を緩やかにし、対応可能な周波数帯域を増加させることが可能であることを見出した。本発明は、それらの知見を基にして完成されたものである。
【００１３】
以下、本発明に係る実施形態について、図面を参照しながら詳細に説明する。ただし、本発明はここで取り上げた実施形態に限定されるものではなく、要旨を変更しない範囲で組み合わせや改良を適宜行ってもよい。
【００１４】
〔本発明に係る平面アンテナの基本構成〕
図２は、本発明に係る平面アンテナの基本構成を示した模式図である。本発明に係る平面アンテナは、ｍ個の低背アンテナが並列に接続された構成を有している。各低背アンテナは、それぞれｎ個のアンテナ素子が並列接続されたアンテナ素子群と１つのインピーダンス変換回路部が直列に接続された構成を有している。
【００１５】
本発明においてアンテナ素子群を構成する各アンテナ素子は、アドミタンスを複素数表示した場合、アンテナ素子の入力アドミタンスの実数成分が対象とする周波数帯域において少なくとも１つの極大値を持つように構成されている。また、各アンテナ素子は、それぞれ異なる周波数で入力アドミタンスの実数成分が極大となるように構成されている。本発明に係る平面アンテナは、対象とする周波数帯域において、アンテナ素子群の入力アドミタンスの周波数特性が十分に緩やかな勾配を持つように、アンテナ素子群を構成する各アンテナ素子の極大となる周波数がそれぞれ設定されている。また、各アンテナ素子の該極大値のそれぞれが、前記平面アンテナに接続される給電系の特性アドミタンスの実数成分よりも大きい値となるように設定されている。
【００１６】
２つのアンテナ素子（例えば、アンテナ素子1-1、アンテナ素子1-2とする）を並列接続した場合、該アンテナ素子から成るアンテナ素子群の入力アドミタンスの周波数特性について、勾配が緩やかになることを以下に説明する。
【００１７】
図３Ａはアンテナ素子1-1の入力アドミタンスの実数成分の周波数特性を模式的に示すグラフであり、図３Ｂはアンテナ素子1-2の入力アドミタンスの実数成分の周波数特性を模式的に示すグラフであり、図３Ｃはアンテナ素子1-1及びアンテナ素子1-2を並列接続した場合の入力アドミタンスの実数成分の周波数特性を模式的に示すグラフである。アンテナ素子1-1、アンテナ素子1-2の入力アドミタンスの実数成分をそれぞれG1、G2［単位：S］と表し、G1とG2が極大値を取る周波数をそれぞれF1、F2［単位：Hz］とする（ただし、F1≠F2とする）。図３Ａおよび図３Ｂに示したように、G1とG2はそれぞれF1とF2において極大値をとるシャープな周波数特性を有しているとする。
【００１８】
これに対し、アンテナ素子1-1とアンテナ素子1-2を並列に接続したアンテナ素子群の入力アドミタンスの実数成分Gの周波数特性は、G1の周波数特性とG2の周波数特性との和となるため、図３Ｃに示すように、F1とF2との間において、各アンテナ素子が単独の場合と比較して入力アドミタンスの実数成分の値が大きくなり勾配が緩やかになる。このように、アンテナ素子群の入力アドミタンスの実数成分の周波数特性は、アンテナ素子群を構成するアンテナ素子を並列接続することによって、その帯域幅を広げることが可能となる。
【００１９】
また、各アンテナ素子の入力アドミタンスの実数成分の周波数特性の和において、隣接する２つの極大値の大きい方の極大値に対する該隣接する２つの極大値の間の極小値の割合が1/9よりも大きいことが好ましい。このとき、そのアンテナ素子群は反射係数の絶対値が0.5以下となり、広帯域な周波数特性を持つことができる。この理由を以下に説明する。
【００２０】
図４は、給電系、伝送線路、アンテナ素子群からなる回路例を示した模式図である。図４に示すように、アンテナ素子群が１/４波長変成器を介して給電系に接続されている場合を考える。ここで、給電系の特性インピーダンスの実数成分をrとし、１/４波長変成器の特性インピーダンスをZ0、電気長l（エル）を１/４波長（l ＝ λ/4）とし、アンテナ素子群の入力インピーダンスの実数成分をrAとし、アンテナ素子群と伝送線路との合成入力インピーダンスの実数成分をrA´とする。また、アンテナ素子群の入力コンダクタンスの実数成分をgAと表し、アンテナ素子群と伝送線路との合成入力コンダクタンスの実数成分をgA´と表す。
【００２１】
アンテナ素子群の入力インピーダンスの実数成分rA、アンテナ素子群の入力コンダクタンスの実数成分gA、アンテナ素子群と伝送線路との合成入力インピーダンスの実数成分rA´、アンテナ素子群と伝送線路との合成入力コンダクタンスの実数成分gA´の間には、以下のような関係がある。
【００２２】
【数１】
0005424252.tif 000002
【００２３】
【数２】
0005424252.tif 000003
【００２４】
また、アンテナ素子群と伝送線路との合成入力インピーダンスの実数成分rA´は、虚数単位jと波数β（β＝ 2π/λ）を用いて次式(3)のように表すこともできる。
【００２５】
【数３】
0005424252.tif 000004
【００２６】
式(1)と式(3)から、gA、rA´、Z0の関係は次式(4)で表される。
【００２７】
【数４】
0005424252.tif 000005
【００２８】
一方、反射係数Γは、次式(5)のように表される。
【００２９】
【数５】
0005424252.tif 000006
【００３０】
式(5)をrA´について整理すると、次式(6)のようになる。
【００３１】
【数６】
0005424252.tif 000007
【００３２】
式(4)と式(6)とから、次式(7)が得られる。
【００３３】
【数７】
0005424252.tif 000008
【００３４】
ここで、式(7)においてΓ＝ 0.5のとき、アンテナ素子群の入力コンダクタンス実数成分の極大値gAmaxが次式(8)のような関係で得られる。
【００３５】
【数８】
0005424252.tif 000009
【００３６】
また、式(7)においてΓ＝ -0.5のとき、アンテナ素子群の入力コンダクタンス実数成分の極小値gAminが次式(9)のような関係で得られる。
【００３７】
【数９】
0005424252.tif 000010
【００３８】
式(8)および式(9)から、極小値gAminと極大値gAmaxの比をとると次式(10)となる。
【００３９】
【数１０】
0005424252.tif 000011
【００４０】
すなわち、極小値gAminと極大値gAmaxとの割合が1/9より大きい場合、gAの値が極小値gAminと極大値gAmaxの間にある周波数域では、反射係数Γの絶対値が0.5よりも小さくなり（｜Γ｜＜ 0.5）、広帯域な周波数特性をもつことが可能である。このように、本発明に係る平面アンテナでは、複数のアンテナ素子の入力アドミタンスの実数成分の周波数特性の和をとった場合、隣接する２つの極大値における大きい方の極大値に対する該２つの極大値間の極小値の割合が1/9より大きいこと（より詳しくは、1以下であり1/9より大きいこと）が好ましい。
【００４１】
本発明に係る平面アンテナは、アンテナ素子群の入力アドミタンスの実数成分の周波数特性において、隣接する２つの極大値の間の極小値が接続される給電系の特性アドミタンスの実数成分よりも大きい値であることが好ましい。それにより、従来と同等の対応周波数帯域を維持しつつアンテナ素子群を低背化することができる。なお、一般的な給電系の特性アドミタンスは0.02 S程度と考えられることから、前記極小値は0.02 Sよりも大きいことが好ましい。
【００４２】
一方、図３Ｃに示したような周波数F1とF2との間の周波数帯域（入力アドミタンスの実数成分の勾配が緩やかな周波数帯域）では、アンテナ素子群と給電系との整合状態が必ずしも良好であるとは限らない。そこで、アンテナ素子群と給電系との整合状態を確保するため、両者の間にインピーダンス変換回路部を挿入することが好ましい。この結果、アンテナ素子群とインピーダンス変換経路部との接続点における両方向の入力アドミタンスの実数成分が等しくなり、インピーダンス変換回路部とアンテナ素子群を含むアンテナと給電系との整合が良好となる。
【００４３】
インピーダンス変換回路部としては、アンテナ素子群の動作周波数帯域の中心周波数fにおける波長λに対してλ/4の電気長となる１つのマイクロストリップラインを使用することが好ましい。アンテナ素子群の入力アドミタンスの実数成分の周波数特性において、隣接する２つの極大値の間の周波数帯域における入力アドミタンスの実数成分をGaとし、給電系の特性アドミタンスをYoとすると、マイクロストリップラインの特性インピーダンスは、(Ga・Yo)0.5 と表すことができる。この関係から、給電系の特性アドミタンスをアンテナ素子群に適したアドミタンスに変換することが可能となり、その結果、広帯域な周波数特性をもつアンテナの実現が可能となる。
【００４４】
また、インピーダンス変換回路部として、アンテナ素子群の動作周波数帯域の中心周波数fにおける波長λに対してλ/4の電気長となる１つの同軸ケーブルを使用してもよい。その作用効果は、上述のマイクロストリップラインの場合と同様である。
【００４５】
インピーダンス変換回路部は、前述のマイクロストリップラインまたは同軸ケーブルを複数直列接続する構成でも良い。この場合、インピーダンス変換回路部自身の周波数特性がより広帯域となるため、より広帯域な周波数特性をもつアンテナの実現が可能である。
【００４６】
また、本発明に係る平面アンテナは、該平面を厚さ方向に投影して見た場合（透視した場合）、アンテナ素子群に対応する位置にはグランド部が形成されていない。すなわち、前述したように、本発明に係る平面アンテナにおける「アンテナ素子群の高さ」とは、グランド部の上端（アンテナ素子群に最近接のグランド部の辺）とアンテナ素子群の上端（グランド部から最も離れたアンテナ素子群の辺）との距離と定義される。なお、アンテナ素子群は、該アンテナ素子群と同一面上に形成される給電線や、同軸ケーブルを介して給電されることが好ましい。
【００４７】
以下、より具体的な構造について説明する。
【００４８】
〔本発明の第１の実施形態〕
図５Ａは、本発明の第１の実施形態に係る平面アンテナの一例を示した斜視模式図であり、図５Ｂは、図５Ａの第２の導電層を該平面アンテナの厚さ方向に透視した場合の平面模式図である。図５Ａ、図５Ｂに示したように、第１の実施形態に係るアンテナ100は、プリント基板10（リジットプリント基板またはフレキシブルプリント基板）の両面に導体層（第１の導体層11と第２の導体層12）が形成されている。第１の導体層11には、矩形導体から成るアンテナ素子1が複数並列接続されたアンテナ素子群2と、インピーダンス変換回路部5と、給電系9が接続される給電部4とが形成されている。インピーダンス変換回路部5はアンテナ素子群2と給電部4との間に直列に接続されている。第２の導体層12には、グランド部3が形成されている。
【００４９】
また、第１の導体層11と第２の導体層12とはスルーホール部6により短絡されており、インピーダンス変換回路部5の一端とスルーホール部6上に配設された給電部4に給電系9が接続されて給電される。なお、給電用ケーブル（図示せず）としては、例えば、同軸ケーブルが好ましく用いられ、同軸ケーブル内導体がインピーダンス変換回路部5の一端に接続されて、同軸ケーブル外導体がスルーホール部6に接続される。
【００５０】
複数のアンテナ素子1（図５Ａでは２つ）は先端開放の矩形導体であり、対象とする周波数帯域において、それぞれのアンテナ素子1の入力アドミタンスの実数成分は互いに異なる周波数で極大値をもつ。アンテナ素子群2の入力アドミタンスの実数成分（各アンテナ素子1の入力アドミタンスの実数成分の和）が緩やかな（幅広い）周波数特性をもつように、各アンテナ素子1の形状（主に長さ）は設定されている。また、平面アンテナ100を厚さ方向に投影して見た場合（透視した場合）、第１の導体層11のアンテナ素子群2に対応する第２の導体層12の位置にはグランド部3が形成されていない。これらの結果、対応可能な周波数帯域幅を従来と同程度に維持しつつ、アンテナ素子群の高さが低い（低背化が可能な）平面アンテナを提供することができる。
【００５１】
〔本発明の第２の実施形態〕
図６は、本発明の第２の実施形態に係る平面アンテナの一例を示した平面模式図である。図６に示したように、第２の実施形態に係る平面アンテナ200は、第１の実施形態に係る平面アンテナに加えて、各アンテナ素子1の先端領域に（アンテナ素子1のインピーダンス変換回路部5との接続点から遠い方に）スルーホール部6が形成されている。すなわち、各アンテナ素子1は、先端領域のスルーホール部6を介して第２の導体層12のグランド部（図６中に図示せず）と先端短絡されている。
【００５２】
第２の実施形態は、第１の実施形態と同様に、対応可能な周波数帯域幅を従来と同程度に維持しつつ、低背化が可能な平面アンテナを提供することができる。また、アンテナ素子1とグランド部3が短絡されていることから、第１の実施形態よりも静電対策に優れているという特徴をもつ。
【００５３】
〔本発明の第３の実施形態〕
図７は、本発明の第３の実施形態に係る平面アンテナの一例を示した斜視模式図である。図７に示したように、第３の実施形態に係る平面アンテナ300は、第１の実施形態に係る平面アンテナに加えて、アンテナ素子1とインピーダンス変換回路部5との接続点近傍に、並列に電磁誘導手段（例えばインダクタ）および静電容量手段（例えばコンデンサ）から成る整合回路部7がアンテナ素子1と並列に接続されている。また、整合回路部7の先端領域に（整合回路部7のアンテナ素子1との接続点から遠い方に）スルーホール部6が形成されている。すなわち、整合回路部7は、先端領域のスルーホール部6を介して第２の導体層12のグランド部（図７中に図示せず）と先端短絡されている。
【００５４】
この整合回路部7は、アンテナ素子群2の入力アドミタンスの虚数成分を調整し、アンテナ素子群2を含む平面アンテナ300と給電系9との整合をより良好にする。第３の実施形態は、第１の実施形態と同様に、対応可能な周波数帯域幅を従来と同程度に維持しつつ、低背化が可能な平面アンテナを提供することができる。また、整合回路部7を接続することにより、第１の実施形態よりも更に良好な整合をとることが可能である。
【００５５】
〔本発明の第４の実施形態〕
図８は、本発明の第４の実施形態に係る平面アンテナの一例を示した斜視模式図である。図８に示したように、第４の実施形態に係る平面アンテナ400は、第２の実施形態に係る平面アンテナに加えて、アンテナ素子1とインピーダンス変換回路部5との間に、整合回路部7が直列に接続されている。第４の実施形態は、第２の実施形態が有する作用効果に加えて、整合回路部7を接続することにより、第２の実施形態よりも更に良好に整合をとることが可能である。
【００５６】
〔本発明の第５の実施形態〕
図９Ａは、本発明の第５の実施形態に係る平面アンテナの一例を示した斜視模式図であり、図９Ｂは、図９Ａの第２の導電層を該平面アンテナの厚さ方向に透視した場合の平面模式図であり、図９Ｃは、図９Ａの第３の導電層を該平面アンテナの厚さ方向に透視した場合の平面模式図である。図９Ａ〜図９Ｃに示したように、第５の実施形態に係るアンテナ500は、３層の導体層（第１の導体層11、第２の導体層12、第３の導体層13）を有するプリント基板10（リジットプリント基板またはフレキシブルプリント基板）から構成されている。
【００５７】
第１の導体層11には、グランド部3と給電部4とスルーホール部6とスルーホール部6’とが形成されている。スルーホール部6は、第１の導体層11と第２の導体層12とを短絡するものであり、スルーホール部6’は、第１の導体層11と第３の導体層13とを短絡するものである。また、給電系9が給電部4に接続されて給電される。
【００５８】
第２の導体層12には、矩形導体から成るアンテナ素子1が複数並列接続されたアンテナ素子群2とインピーダンス変換回路部5と給電線8とスルーホール部6とが形成され、それらが直列に接続されている。スルーホール部6は、第１の導体層11に形成された給電部4と接続されている。アンテナ素子群2は、第１の実施形態と同様に対象とする周波数帯域において、入力アドミタンスの実数成分（各アンテナ素子1の入力アドミタンスの実数成分の和）が広帯域化に適した緩やかな（幅広い）周波数特性をもつ。
【００５９】
第３の導体層13には、第２のグランド部3’とスルーホール部6’とが形成されている。第２のグランド部3’は、スルーホール部6’を介してグランド部3と短絡している。また、平面アンテナ500を厚さ方向に投影して見た場合（透視した場合）、第２の導体層12のアンテナ素子群2に対応する位置において、第１の導体層11のグランド部3および第３の導体層13の第２のグランド部3’は形成されていない。
【００６０】
第５の実施形態は、第１の実施形態と同様に、対応可能な周波数帯域幅を従来と同程度に維持しつつ、低背化が可能な平面アンテナを提供することができる。また、インピーダンス変換回路部5が、２層のグランド（グランド部3と第２のグランド部3’）によって挟まれて電磁気的に遮蔽される構造になっていることから、インピーダンス変換回路部5の周波数特性は周囲の環境に影響されないという特徴をもつ。これらのため、第５の実施形態は、平面アンテナを携帯無線端末に配置する時にグランド周囲の環境を考慮する必要がなく取り扱いが容易であるという利点がある。
【００６１】
なお、本実施形態において、アンテナ素子1として第２の実施形態に示したような先端短絡されたアンテナ素子を用いても良い。また、第３の実施形態や第４の実施形態に示したような整合回路部7を接続しても良い。
【００６２】
〔本発明の第６の実施形態〕
図１０Ａは、本発明の第６の実施形態に係る平面アンテナの一例を示した斜視模式図であり、図１０Ｂは、図１０Ａの第２の導電層を該平面アンテナの厚さ方向に透視した場合の平面模式図であり、図１０Ｃは、図１０Ａの第３の導電層を該平面アンテナの厚さ方向に透視した場合の平面模式図である。図１０Ａ〜図１０Ｃに示したように、第６の実施形態に係るアンテナ600は、第５の実施形態と同様の構成を有するが、第２の導体層12に２組のアンテナ素子群が形成されている点において異なる。
【００６３】
図１０Ｂに示したように、第２の導体層12には、２組のアンテナ素子群2と２つのインピーダンス変換回路部5と給電線8とスルーホール部6とが形成されている。２組のアンテナ素子群2は、給電系9の特性インピーダンスと等しい特性インピーダンスを有する給電線8を介して並列に接続されることが好ましい。また、２組のアンテナ素子群2をそれぞれ構成するアンテナ素子1を一直線上に配置することにより、平面アンテナの低背化が実現可能である。
【００６４】
スルーホール部6は、第１の導体層11に形成された給電部4と接続されている。スルーホール部6’は、グランド部3と第２のグランド部3’とを短絡接続している。また、平面アンテナ600を厚さ方向に投影して見た場合（透視した場合）、第２の導体層12のアンテナ素子群2に対応する位置において、第１の導体層11のグランド部3および第３の導体層13の第２のグランド部3’は形成されていない。
【００６５】
一方、アンテナ素子群2のそれぞれは、第１の実施形態と同様に対象とする周波数帯域において、入力アドミタンスの実数成分（各アンテナ素子1の入力アドミタンスの実数成分の和）が広帯域化に適した緩やかな（幅広い）周波数特性をもつ。また、各アンテナ素子群2は、互いに異なる周波数帯域を対象とするように設定されている。これらの特徴により、第６の実施形態は、第５の実施形態と同様の作用効果を有するのに加えて、第５の実施形態よりも多くの周波数帯域に対応することが可能である。
【００６６】
なお、第６の実施形態として２組のアンテナ素子群を有する平面アンテナについて説明したが、本発明はそれに限定されず、３組以上のアンテナ素子群を具備させて３つ以上の相互に異なる周波数帯域に対応させることも可能である。さらに、全てのアンテナ素子を一直線上に配置することにより、低背化された平面アンテナを実現することが可能である。
【００６７】
〔本発明の第７の実施形態〕
図１１Ａは、本発明の第７の実施形態に係る平面アンテナの一例を示した斜視模式図であり、図１１Ｂは、図１１Ａの第２の導電層を該平面アンテナの厚さ方向に透視した場合の平面模式図であり、図１１Ｃは、図１１Ａの第３の導電層を該平面アンテナの厚さ方向に透視した場合の平面模式図である。図１１Ａ〜図１１Ｃに示したように、第７の実施形態に係るアンテナ700は、第６の実施形態と同様の構成を有するが、アンテナ素子群2の長手方向が互いに直角関係となるように２組のアンテナ素子群2を配置している点において異なる。
【００６８】
第７の実施形態は、第６の実施形態と同様の作用効果を有するのに加えて、２組のアンテナ素子群を互いに直角関係となるように配置することにより、例えば矩形の携帯無線端末の角部に該平面アンテナを配置することで該端末内のスペースを有効に活用できる利点がある。
【００６９】
なお、上述では、２組のアンテナ素子群の長手方向が互いに直角関係となるように配置した場合について説明したが、本発明はそれに限定されず、２組のアンテナ素子群が任意の角度関係に配置されていても良いし、３組以上のアンテナ素子群を具備させても良い。また、平面アンテナ700を厚さ方向に投影して見た場合（透視した場合）、第２の導体層12のアンテナ素子群2に対応する位置において、第１の導体層11のグランド部3および第３の導体層13の第２のグランド部3’は形成されていない。
【００７０】
〔本発明の第８の実施形態〕
図１２Ａは、本発明の第８の実施形態に係る平面アンテナの一例を示した斜視模式図である。図１２Ａに示したように、第８の実施形態に係る平面アンテナ800は、第１の実施形態と略同様の構成を有するが、インピーダンス変換回路部として、アンテナ素子群2が対象とする動作周波数帯域の中心周波数における波長の1/4の整数倍の電気長を持つ同軸ケーブル14が用いられ、同軸ケーブル内導体15がアンテナ素子群2に接続され、同軸ケーブル外導体16がスルーホール部6に接続されている点において異なる。同軸ケーブル外導体16と第２の導体層12に形成されたグランド部（図示せず）は、スルーホール部6により短絡されている。
【００７１】
図１２Ｂは、本発明の第８の実施形態に係る平面アンテナの他の例を示した斜視模式図である。図１２Ｂに示したように、第８の実施形態に係る平面アンテナ850は、プリント基板10（リジットプリント基板またはフレキシブルプリント基板）の片面に第１の導体層11が形成され、第１の導体層11にアンテナ素子群2とグランド部3とが形成されている。また、インピーダンス変換回路部として、アンテナ素子群2が対象とする動作周波数帯域の中心周波数における波長の1/4の整数倍の電気長を持つ同軸ケーブル14が用いられ、同軸ケーブル内導体15がアンテナ素子群2に接続され、同軸ケーブル外導体16がグランド部3に接続されている。
【００７２】
第８の実施形態に係る平面アンテナ800，850は、第１の実施形態と同様の作用効果を有し、対応可能な周波数帯域幅を従来と同程度に維持しつつ、アンテナ素子群の高さが低い（低背化が可能な）平面アンテナを提供することができる。また、平面アンテナ850は、導体層がプリント基板10の片面のみであることから、より簡単に（すなわち低コストで）作製できる利点がある。
【００７３】
〔本発明の第９の実施形態〕
図１３は、本発明の第９の実施形態に係る平面アンテナの一例であり、アンテナ素子群を形成した導体層を示した平面模式図である。図１３に示したように、第９の実施形態に係る平面アンテナ900は、第６の実施形態と同様の構成を有するが、アンテナ素子群2とインピーダンス変換回路部5からなるアンテナに接続される給電線8の一部分にフィルタ17が直列に接続されている点において異なる。
【００７４】
一般的に、複数のアンテナが並列接続されている多重アンテナにおいて、各アンテナの高調波が他のアンテナの入力インピーダンスを変化させて整合条件を劣化させる場合がある。これに対し、第９の実施形態に係る平面アンテナ900では、フィルタ17を適切に配設することによって良好な整合をとることができる。フィルタ17としては、状況に応じて、高域通過フィルタや低域通過フィルタや帯域通過フィルタや帯域遮断フィルタを用いることができる。他の作用効果は、第６の実施形態と同様である。
【００７５】
〔本発明の第10の実施形態〕
図１４は、本発明の第10の実施形態に係る平面アンテナの一例を示した斜視模式図である。図１４に示したように、第10の実施形態に係る平面アンテナ1000は、送受信モジュール18を搭載する基板19上に本発明のアンテナが直接形成されているものである。送受信モジュール18とアンテナ素子群2は、基板19上に形成されるインピーダンス変換回路部5と給電線8とを介して接続され、無線信号の授受と給電が行われる。本発明に係る平面アンテナにおける低背の特長を活かし、送受信モジュールを搭載する基板19の面積をほとんど拡大することなしにアンテナを形成することができる。なお、平面アンテナの構造としては、前述の実施形態のいずれでもよい。
【００７６】
〔本発明の第11の実施形態〕
図１５は、本発明に係る平面アンテナを内蔵したノート型パーソナルコンピュータやUMPC等の携帯無線端末の模式図である。図１５に示したように、本発明に係る平面アンテナ21は、対応可能な周波数帯域幅を従来と同程度に維持しつつアンテナ素子群の高さが低い（低背である）という特長を有することから、携帯無線端末20の液晶画面（LCD）周囲やキーボード周囲などの狭いスペースにも内蔵することが可能である。言い換えると、従来よりも小型の携帯無線端末20に対しても、本発明に係る平面アンテナ21を内蔵させることができる。また、本発明に係る平面アンテナ21は低背アンテナであることから、１つの携帯無線端末20に複数の低背アンテナを内蔵させて複数の周波数帯域に対応できる利点もある。
【実施例】
【００７７】
以下、本発明を実施例に基づいて更に詳しく説明するが、本発明はこれらに限定されるものではない。
【００７８】
（実施例１）
第１の実施形態に係る平面アンテナとして、図１６Ａおよび図１６Ｂに示すような平面アンテナ（実施例１）を用意した。図１６Ａは実施例１の第１の導体層を示した平面模式図であり、図１６Ｂは実施例１の第２の導体層を該平面アンテナの厚さ方向に透視した場合の平面模式図である。
【００７９】
プリント基板10としては、両面に導体層が形成された厚さ0.3 mmのFR4プリント基板を用いた。図１６Ａ、図１６Ｂに示したように、第１の導体層11には、複数のアンテナ素子1が並列に接続されたアンテナ素子群2と、インピーダンス変換回路部5と、給電線8と、スルーホール部6とを形成した。第２の導体層12には、グランド部3とスルーホール部6とを形成した。スルーホール部6は、第１の導体層11と第２の導体層12とを短絡接続している。第１の導体層11における給電線8の一端とスルーホール部6上とに給電部4を配設し、同軸ケーブルを介して給電を行う構成とした。
【００８０】
アンテナ素子1は、L1 ＝ 12 mm、W1 ＝ 0.5 mmの矩形導体と、L2 ＝ 9.5 mm、W2 ＝ 0.5 mmの矩形導体とした。また、アンテナ素子群2の高さはLc ＝ 2 mmとした。このアンテナ素子群2の高さは、平面アンテナが対象とする動作周波数帯域における波長に対して約1/18のサイズであり、十分低背であると言うことができる。
【００８１】
インピーダンス変換回路部5には、アンテナの動作周波数帯域の中心周波数における波長λの1/4の電気長をもつマイクロストリップラインを使用した。該マイクロストリップラインの寸法は、W3 ＝ 1.2 mm、L3 ＝ 12.2 mmとした。
【００８２】
給電線8には、給電系と等しい特性アドミタンスをもつマイクロストリップラインを使用した。該マイクロストリップラインの幅は、W4 ＝ 0.3 mmであり、特性アドミタンスの実数成分は約0.02 Sである。
【００８３】
実施例１の平面アンテナを用いて、反射係数と放射効率の測定を行った。図１７は実施例１の平面アンテナにおける反射係数の評価結果であり、図１８は実施例１の平面アンテナにおける放射効率の評価結果である。図１７から、反射係数の絶対値が0.5以下である周波数帯域は1.6 GHz以上であり、実施例１の平面アンテナが広帯域な周波数特性をもつことが確認された。また、図１８から、放射効率が0.5以上である周波数帯域が1.2 GHz以上であることが判る。これは比帯域が20％以上であることを意味し、広帯域な周波数特性をもつことが確認された。
【００８４】
（実施例２）
第６の実施形態に係る平面アンテナとして、図１９Ａおよび図１９Ｂに示すような平面アンテナ（実施例２）を用意した。図１９Ａは実施例２の第１の導体層を示した平面模式図であり、図１９Ｂは実施例２の第２の導体層を該平面アンテナの厚さ方向に透視した場合の平面模式図である。プリント基板10としては、両面に導体層が形成された厚さ0.3 mmのFR4プリント基板を用いた。また、実施例２の平面アンテナも、アンテナ素子群の高さが2.00 mmであり、十分低背であると言うことができる。なお、各種寸法の詳細は図中に記載した。
【００８５】
実施例２の平面アンテナを用いて、２つの周波数帯域に対して反射係数と放射効率の測定を行った。図２０Ａは、実施例２の平面アンテナにおける１つ目の周波数帯域での反射係数の評価結果であり、図２０Ｂは、実施例２の平面アンテナにおける２つ目の周波数帯域での反射係数の評価結果である。また、図２１Ａは、実施例２の平面アンテナにおける１つ目の周波数帯域での放射効率の評価結果であり、図２１Ｂは、実施例２の平面アンテナにおける２つ目の周波数帯域での放射効率の評価結果である。
【００８６】
図２０Ａおよび図２０Ｂから、反射係数の絶対値が0.5以下である周波数帯域は、2.45 GHz周辺と5 GHz周辺でそれぞれ0.3 GHz以上、1.1 GHz以上であり、実施例２の平面アンテナが広帯域な周波数特性をもつことが確認された。また、図２１Ａおよび図２１Ｂから、放射効率が0.5以上である周波数帯域は、2.45 GHz周辺と5 GHz周辺でそれぞれ0.31 GHz、1.16 GHzであった。これらの結果は、WLANに使用される従来のアンテナと同等の特性である。
【００８７】
以上の実施例１および実施例２の結果からも、本発明に係る平面アンテナは、対応可能な周波数帯域幅を従来と同程度に維持しつつ、アンテナ素子群の高さを低くできる（低背化できる）ことが実証された。
【符号の説明】
【００８８】
1…アンテナ素子、2…アンテナ素子群、3…グランド部、3’…第２のグランド部、
4…給電部、5…インピーダンス変換回路部、6、6’…スルーホール部、
7…整合回路部、8…給電線、9…給電系、10…プリント基板、
11…第１の導体層、12…第２の導体層、13…第３の導体層、
14…同軸ケーブル、15…同軸ケーブル内導体、16…同軸ケーブル外導体、
17…フィルタ、18…送受信モジュール、19…送受信モジュールを搭載する基板、
20…携帯無線端末、21…本発明に係る平面アンテナ、
100，200，300，400，500，600，700，800，850，900，1000…平面アンテナ。
【図１】
0005424252.tif 000012
【図２】
0005424252.tif 000013
【図３Ａ】
0005424252.tif 000014
【図３Ｂ】
0005424252.tif 000015
【図３Ｃ】
0005424252.tif 000016
【図４】
0005424252.tif 000017
【図５Ａ】
0005424252.tif 000018
【図５Ｂ】
0005424252.tif 000019
【図６】
0005424252.tif 000020
【図７】
0005424252.tif 000021
【図８】
0005424252.tif 000022
【図９Ａ】
0005424252.tif 000023
【図９Ｂ】
0005424252.tif 000024
【図９Ｃ】
0005424252.tif 000025
【図１０Ａ】
0005424252.tif 000026
【図１０Ｂ】
0005424252.tif 000027
【図１０Ｃ】
0005424252.tif 000028
【図１１Ａ】
0005424252.tif 000029
【図１１Ｂ】
0005424252.tif 000030
【図１１Ｃ】
0005424252.tif 000031
【図１２Ａ】
0005424252.tif 000032
【図１２Ｂ】
0005424252.tif 000033
【図１３】
0005424252.tif 000034
【図１４】
0005424252.tif 000035
【図１５】
0005424252.tif 000036
【図１６Ａ】
0005424252.tif 000037
【図１６Ｂ】
0005424252.tif 000038
【図１７】
0005424252.tif 000039
【図１８】
0005424252.tif 000040
【図１９Ａ】
0005424252.tif 000041
【図１９Ｂ】
0005424252.tif 000042
【図２０Ａ】
0005424252.tif 000043
【図２０Ｂ】
0005424252.tif 000044
【図２１Ａ】
0005424252.tif 000045
【図２１Ｂ】
0005424252.tif 000046